(57)【要約】      （修正有）【課題】手動操作ユニット及び電動駆動ユニットのそれぞれが１本の連結部材を介して排水弁を作動させることができる操作装置を提供する。【解決手段】排水弁と連結され、自身の移動量に応じて排水弁を開閉させる１本の連結部材５０と、使用者が手動の回転操作を行うことにより１本の連結部材５０を引き上げて排水弁を動作させる手動操作ユニット５２と、外部からの電力により１本の連結部材５０を引き上げて排水弁を動作させる電動駆動ユニット５４とを備えた。【選択図】図２
2015196949.tif 000002
【特許請求の範囲】
【請求項１】
洗浄水タンク内に配置された排水弁を作動させ便器へ洗浄水の供給を開始させる洗浄水タンク装置の操作装置であって、
上記排水弁と連結され、自身の移動量に応じて上記排水弁を開閉させる１本の連結部材と、
上記洗浄水タンクに設けられて、使用者が手動の回転操作を行うことにより上記１本の連結部材を引き上げて上記排水弁を動作させる手動操作ユニットと、
外部からの電力により上記１本の連結部材を引き上げて上記排水弁を動作させる電動駆動ユニットと、を備えていることを特徴とする操作装置。
【請求項２】
上記１本の連結部材は、一端部が上記排水弁と連結され、自身の移動量に応じて上記排水弁を開閉させ、
上記手動操作ユニットは、上記洗浄水タンクに設けられて、上記連結部材の他端部と連結され、使用者が手動の回転操作を行うことにより上記１本の連結部材を引き上げて上記排水弁を動作させ、
上記電動駆動ユニットは、上記１本の連結部材を自身の外周部に沿わせた状態で自由に回転できる回転機構と、外部からの電力により上記回転機構を移動させる電動駆動部と、を備え、上記回転機構を移動させることで上記１本の連結部材を引き上げて上記排水弁を動作させる請求項１に記載の操作装置。
【請求項３】
上記電動駆動ユニットの上記電動駆動部は、回転軸を回転駆動するモーター部と、
一端が上記モーター部の上記回転軸に連結され、他端が上記回転機構に連結されたアーム部材と、を備え、上記モーター部の上記回転軸を回転駆動することにより、上記アーム部材が上記回転軸を中心に回転して上記回転機構を移動させる請求項２に記載の操作装置。
【請求項４】
上記電動駆動ユニット、上記手動操作ユニット及び上記排水弁の間において上記１本の連結部材を内部に通しているチューブ部材を有し、
上記チューブ部材は、上記電動駆動ユニットに取付けられ、上記電動駆動ユニット内においては、上記１本の連結部材が上記チューブ部材から露出した状態となるように配置され、上記回転機構が移動するときに、上記１本の連結部材を上記チューブ部材の内部から上記電動駆動ユニット内部へ引き出すことにより、上記１本の連結部材を引き上げる請求項２又は３に記載の操作装置。
【請求項５】
上記電動駆動ユニットは、さらに、チューブ部材の一端部を保持するチューブ保持部を有する請求項４記載の操作装置。
【請求項６】
上記電動駆動ユニットの上記チューブ保持部は、上記回転機構の移動方向と、上記１本の連結部材の上記電動駆動ユニット内部への引き出し方向とがほぼ同一方向となるように
チューブ部材の端部を保持する請求項５記載の操作装置。
【請求項７】
上記電動駆動ユニットの上記電動駆動部は、洗浄水タンクの満水水位より上方に配置されている請求項２乃至６の何れか１項に記載の操作装置。
【請求項８】
上記電動駆動ユニットは、上記アーム部材の回転角度を、第１の回転角度と、上記第１の回転角度よりも小さい第２の回転角度とのいずれかの回転角度に切り替えることができ、連結部材の引き出し量を、大洗浄モードの排水弁の引き上げ量と、小洗浄モードの排水弁の引き上げ量との間で切り替えることができる請求項３乃至７の何れか１項に記載の操作装置。
【請求項９】
請求項１乃至８の何れか１項に記載の操作装置を備えたことを特徴とする洗浄水タンク装置。
【請求項１０】
上記請求項９記載の洗浄水タンク装置を備えたことを特徴とする水洗大便器。
【発明の詳細な説明】
【技術分野】
【０００１】
本発明は、操作装置に係り、特に、洗浄水タンク内に配置された排水弁を作動させ便器へ洗浄水の供給を開始させる洗浄水タンク装置の操作装置に関する。
【背景技術】
【０００２】
従来から、便器に供給される洗浄水が貯水された洗浄水タンクの排水口を開閉する排水弁を作動させて便器洗浄を操作する操作装置として、例えば、特許文献１に記載されているように、使用者が手動のみで回転操作する操作レバーと、この操作レバーに連結されて使用者が回転操作することにより回転する駆動軸を備えた駆動装置と、洗浄水タンクの排水口を開閉する排水弁と駆動装置とを連結して駆動装置の駆動軸の回転により排水弁を引き上げるワイヤ部材とを備えているワイヤー式の排水弁操作装置が知られている。
【先行技術文献】
【特許文献】
【０００３】
【特許文献１】中国実用新案２６４１１５６号公報
【発明の概要】
【発明が解決しようとする課題】
【０００４】
上述のような従来のワイヤー式の排水弁操作装置は、操作レバーの回転操作を手動で行っている。しかしながら、近年、ワイヤー式の排水弁操作装置を、使い勝手の良さから自動化（電動化）して使用することができることが求められている。すなわち、ワイヤー式の排水弁操作装置を、手動操作部と電動駆動部との両方を備えることにより、手動と電動とにより操作したいという要請が生じている。
しかしながら、ワイヤー式の排水弁操作装置が手動操作部と電動駆動部との両方を備える場合、手動操作部と電動駆動部とのそれぞれを、独立して駆動可能にするために、手動操作部と電動駆動部のそれぞれが２本の別々のワイヤーによって排水弁と接続される必要がある。従って、既存の1本のワイヤーにより引き上げられる構成を有している排水弁に対して、手動操作部と電動駆動部とのそれぞれが２本の別々のワイヤーによって排水弁を引き上げる構成を適用することが困難であるという問題がある。
【０００５】
そこで、本発明は、上述した従来技術の問題点と課題を解決するためになされたものであり、手動操作ユニット及び電動駆動ユニットのそれぞれが１本の連結部材を介して排水弁を作動させることができる操作装置を提供することを目的としている。
【課題を解決するための手段】
【０００６】
上記の目的を達成するために、本発明において、好ましくは、洗浄水タンク内に配置された排水弁を作動させ便器へ洗浄水の供給を開始させる洗浄水タンク装置の操作装置であって、排水弁と連結され、自身の移動量に応じて排水弁を開閉させる１本の連結部材と、洗浄水タンクに設けられて、使用者が手動の回転操作を行うことにより１本の連結部材を引き上げて排水弁を動作させる手動操作ユニットと、外部からの電力により１本の連結部材を引き上げて排水弁を動作させる電動駆動ユニットと、を備えている。
このように構成された本発明においては、手動操作ユニット及び電動駆動ユニットのそれぞれが１本の連結部材を介して排水弁を作動させることができる（すなわち、手動操作ユニット又は電動駆動ユニットのいずれによっても１本の連結部材を介して排水弁を作動させることができる）。よって、１本の連結部材で排水弁を動作させる洗浄水タンク装置の操作装置において、使用者が手動の回転操作を行うことにより排水弁を動作させることができるのみならず、外部からの電力により電動で排水弁を動作させることができる。従って、使用者の洗浄水タンク装置の操作装置の使い勝手が向上する。
【０００７】
上記の目的を達成するために、本発明は、１本の連結部材は、一端部が排水弁と連結され、自身の移動量に応じて排水弁を開閉させ、手動操作ユニットは、洗浄水タンクに設けられて、連結部材の他端部と連結され、使用者が手動の回転操作を行うことにより１本の連結部材を引き上げて排水弁を動作させ、電動駆動ユニットは、１本の連結部材を自身の外周部に沿わせた状態で自由に回転できる回転機構と、外部からの電力により回転機構を移動させる電動駆動部と、を備え、回転機構を移動させることで１本の連結部材を引き上げて排水弁を動作させることを特徴としている。
このように構成された本発明においては、手動操作ユニットが、使用者が手動の回転操作を行うことにより１本の連結部材を引き上げて排水弁を動作させることができる。また、電動駆動ユニットが、電動駆動部が外部からの電力により回転機構を移動させることができ、１本の連結部材を引き上げて排水弁を動作させることができる。
従って、手動操作ユニット及び電動駆動ユニットのそれぞれがどちらによっても１本の連結部材を介して排水弁を作動させることができる。よって、１本の連結部材で排水弁を動作させる洗浄水タンク装置の操作装置において、使用者が手動の回転操作を行うことにより排水弁を動作させることができるのみならず、外部からの電力により電動で排水弁を動作させることができる。従って、使用者の洗浄水タンク装置の操作装置の使い勝手が向上する。
【０００８】
本発明において、好ましくは、電動駆動ユニットの電動駆動部は、回転軸を回転駆動するモーター部と、一端がモーター部の回転軸に連結され、他端が回転機構に連結されたアーム部材と、を備え、モーター部の回転軸を回転駆動することにより、アーム部材が回転軸を中心に回転して回転機構を移動させる。
このように構成された本発明においては、電動駆動ユニットの電動駆動部が、比較的簡易な構造で回転機構を移動させることが可能となる。
【０００９】
本発明において、好ましくは、電動駆動ユニット、手動操作ユニット及び排水弁の間において１本の連結部材を内部に通しているチューブ部材を有し、チューブ部材は、電動駆動ユニットに取付けられ、電動駆動ユニット内においては、１本の連結部材がチューブ部材から露出した状態となるように配置され、回転機構が移動するときに、１本の連結部材をチューブ部材の内部から電動駆動ユニット内部へ引き出すことにより、１本の連結部材を引き上げる。
このように構成された本発明においては、電動駆動ユニット、手動操作ユニット及び排水弁の間において、連結部材を、チューブ部材の形状に沿った状態で引き上げることができ、チューブ部材が設けられない場合のように電動駆動ユニット、手動操作ユニット及び排水弁の間において常に張った状態で配置する必要をなくすことができる。従って、チューブ部材が設けられない場合と比べて電動駆動ユニットを洗浄水タンク内の自由な位置に配置することができる。
【００１０】
本発明において、好ましくは、電動駆動ユニットは、さらに、チューブ部材の一端部を保持するチューブ保持部を有する。
このように構成された本発明においては、チューブ部材の一端部を保持することにより、回転機構が移動するときに、連結部材をチューブ部材の内部から電動駆動ユニット内部へ適切に引き出すことができ、連結部材の引き出し量を回転機構の移動量に応じた既定の引き出し量に制御できる。したがって、排水弁の引き上げ量を比較的正確に制御することができ、排水弁の引き上げ量のバラつきを抑制することができる。
【００１１】
本発明において、好ましくは、電動駆動ユニットの上記チューブ保持部は、回転機構の移動方向と、１本の連結部材の電動駆動ユニット内部への引き出し方向とがほぼ同一方向となるようにチューブ部材の端部を保持する。
このように構成された本発明においては、回転機構の移動量に対する連結部材の引き出し量をほぼ最大にすることができ、回転機構が移動するときに、連結部材を、効果的にチューブ部材の内部から電動駆動ユニット内部へ引き出すことができる。
【００１２】
本発明において、好ましくは、電動駆動ユニットの電動駆動部は、洗浄水タンクの満水水位より上方に配置されている。
このように構成された本発明においては、電動駆動部が浸水することによる故障を防止することができる。したがって、適切に電動駆動ユニットが連結部材を引き上げて排水弁を動作させることができる。
【００１３】
本発明において、好ましくは、電動駆動ユニットは、アーム部材の回転角度を、第１の回転角度と、第１の回転角度よりも小さい第２の回転角度とのいずれかの回転角度に切り替えることができ、連結部材の引き出し量を、大洗浄モードの排水弁の引き上げ量と、小洗浄モードの排水弁の引き上げ量との間で切り替えることができる。
このように構成された本発明においては、電動駆動ユニットが、アーム部材の回転角度を第１の回転角度と、第１の回転角度よりも小さい第２の回転角度とのいずれかの回転角度に切り替えることにより、回転機構の移動量及び連結部材の引き出し量を変更することができる。よって、連結部材の引き出し量を、大洗浄モードの排水弁の引き上げ量と、小洗浄モードの排水弁の引き上げ量との間で切り替えることができる。従って、電動駆動ユニットにより、大洗浄モードと、小洗浄モードとの切り替えを行うことができる。
【００１４】
つぎに、本発明は、上記操作装置を備えた洗浄水タンク装置である。
このように構成された本発明においては、手動操作ユニット及び電動駆動ユニットのそれぞれが１本の連結部材を介して排水弁を作動させることができる洗浄水タンク装置を提供することができる。
【００１５】
つぎに、本発明は、上記洗浄水タンク装置を備えた水洗大便器である。
このように構成された本発明においては、手動操作ユニット及び電動駆動ユニットのそれぞれが１本の連結部材を介して排水弁を作動させることができる洗浄水タンク装置を備えた水洗大便器を提供することができる。
【発明の効果】
【００１６】
本発明の操作装置によれば、手動操作ユニット及び電動駆動ユニットのそれぞれが１本の連結部材を介して排水弁を作動させることができる。
【図面の簡単な説明】
【００１７】
【図１】本発明の第１実施形態による操作装置を備えた洗浄水タンク装置が適用された水洗大便器において、便座及び便蓋を取り外した状態を示す斜視図である。
【図２】本発明の第１実施形態による操作装置を備えた洗浄水タンク装置の内部構造を前方から見た概略図である。
【図３】図２の排水弁装置の中央断面図であり、本発明の第１実施形態による排水弁装置の大洗浄モード及び小洗浄モードにおける排水開始前の状態を示している。
【図４】本発明の第１実施形態による操作装置の正面図である。
【図５】本発明の第１実施形態による操作装置の側面図である。
【図６】本発明の第１実施形態による操作装置の第１チューブ保持部に第１チューブ部材第２端部が保持されている状態を示す部分拡大断面図である。
【図７】本発明の第１実施形態による操作装置において、待機状態と、大洗浄モードにおいてプーリが移動された状態と、小洗浄モードにおいてプーリが移動された状態とを示す正面図である。
【発明を実施するための形態】
【００１８】
つぎに、添付図面により、本発明の第１実施形態による操作装置について説明する。
まず、図１により、本発明の第１実施形態による操作装置を備えた洗浄水タンク装置が適用された水洗大便器について説明する。
図１は、本発明の第１実施形態による操作装置を備えた洗浄水タンク装置が適用された水洗大便器において、便座、便蓋を取り外し、洗浄水タンク装置の蓋体を取り付けた状態を示す斜視図である。
【００１９】
図１に示すように、符号１は、サイホン作用を利用してボウル部内の汚物を吸い込んで排水トラップ管路から一気に外部に排出する、いわゆる、サイホン式の水洗大便器であり、この水洗大便器１は、陶器製の便器本体２を備え、この便器本体２には、ボウル部４と、このボウル部４の下部と連通する排水トラップ管路６がそれぞれ形成されている。
便器本体２のボウル部４の上縁部には、内側にオーバーハングしたリム８と、便器本体２の後方側の内部に形成される導水路（図示せず）から供給される洗浄水を吐水する第１吐水口１０が形成され、この第１吐水口１０から吐水された洗浄水は、旋回しながら下降してボウル部４を洗浄するようになっている。
【００２０】
ボウル部４の下方には、溜水面が鎖線Ｗ０で示された溜水部１２が形成されている。この溜水部１２の下方には、排水トラップ管路６の入口６ａが開口し、この入口６ａから後方の排水トラップ管路６は排水ソケット（図示せず）を介して床下の排出管（図示せず）に接続されている。
また、ボウル部４の溜水面Ｗ０の上方位置には、便器本体２の後方側の内部に形成される導水路（図示せず）から供給される洗浄水を吐水する第２吐水口１４が形成され、この第２吐水口１４から吐水される洗浄水が溜水部１２の溜水を上下方向に旋回させる旋回流を生じさせるようになっている。
【００２１】
便器本体２の後方側の上面には、便器本体２に供給する洗浄水を貯水する洗浄水タンク装置１６が設けられている。
なお、本実施形態では、上述したサイホン式の水洗大便器に洗浄水タンク装置１６を適用した例について説明するが、このようなサイホン式の水洗大便器に限定されず、ボウル部内の水の落差による流水作用で汚物を押し流す、いわゆる、洗い落し式の水洗大便器等の他のタイプの水洗便器にも適用可能である。
【００２２】
つぎに、図２及び図３により、洗浄水タンク装置１６の内部構造について説明する。
図２は、本発明の第１実施形態による操作装置を備えた洗浄水タンク装置の内部構造を前方から見た概略図であり、図３は図２の排水弁装置の中央断面図であり、本発明の第１実施形態による排水弁装置の大洗浄モード及び小洗浄モードにおける排水開始前の状態を示している。
図２に示すように、洗浄水タンク装置１６は、水洗大便器１を洗浄する洗浄水を貯水する貯水タンク１８を備え、この貯水タンク１８の底部１８ｄには、便器本体２の導水路（図示せず）と連通する排水口２０が形成され、貯水タンク１８内の洗浄水が便器本体２の導水路（図示せず）へと供給されるようになっている。また、貯水タンク１８は、便器の種類に応じて、貯水する洗浄水の量が異なっている。また、貯水タンク１８は、例えば、ローシルエットタイプの貯水タンクであるが、ローシルエットタイプ以外のものであってもよい。
【００２３】
図２に示すように、洗浄水タンク装置１６の貯水タンク１８内には、この貯水タンク１８内に洗浄水を供給する給水装置２２と、貯水タンク１８に貯えられた洗浄水について排水口２０を開放して便器本体２の導水路（図示せず）に流出させる排水弁装置２４とが設けられている。
【００２４】
給水装置２２は、外部の給水源（図示せず）に接続され貯水タンク１８の底部１８ｄから上方に延びる給水管２６と、この給水管２６の上端部に取り付けられ、給水管２６から給水される洗浄水の貯水タンク１８内への吐水と止水を切り替える給水バルブ２８と、貯水タンク１８内の水位の変動に応じて上下動して給水バルブ２８による吐水と止水を切り替えるフロート３０とを備えている。
給水管２６の外周側下端部には、吐水口３２が開口し、給水バルブ２８からの洗浄水がこの吐水口３２から貯水タンク１８内に吐水されるようになっている。
【００２５】
給水装置２２においては、後述する排水弁装置２４により、貯水タンク１８内の洗浄水が便器に排水されると、洗浄水の水位が低下してフロート３０が下降し、それにより給水バルブ２８が開き、吐水口３２からの吐水が開始し、洗浄水タンク装置１６の外部の給水源（図示せず）から貯水タンク１８内への吐水が開始されるようになっている。
さらに、吐水が継続されて貯水タンク１８内の水位が上昇すると、フロート３０が上昇し、それにより給水バルブ２８が閉じ、吐水口３２からの吐水が止水される。これにより、貯水タンク１８内の洗浄水の水位が満水時の満水水位ＷＬに維持されるようになっている。
【００２６】
つぎに、図３は、図２の排水弁装置の中央断面図である。図２及び図３に示すように、排水弁装置２４は、上下動することにより排水口２０を開閉する排水弁本体３４を内部に備えた直動式の排水弁装置である。この排水弁本体３４の上端部３４ａには、詳細は後述するワイヤ部材５０の排水弁側端部５０ａが連結されている。
このワイヤ部材の他端部は、詳細は後述するが、操作装置の電動駆動ユニットを介して手動操作ユニットに連結されている。よって、手動操作ユニット又は電動駆動ユニットにより、共通に使用される１本のワイヤ部材５０が引き上げられるようになっている。そして、排水弁本体３４が上昇し、排水口２０が開放され、貯水タンク１８内の洗浄水が便器本体２の導水路（図示せず）に流出し、便器洗浄が開始されるようになっている。
【００２７】
さらに、図２及び図３に示すように、排水口２０は、より具体的には、貯水タンク１８の底部１８ｄに取り付けられた排水口形成部材３６のほぼ中央部から下方に延びるように形成された排水管路３６ａ内の区間全体であり、この排水管路３６ａの上縁部には、その全周に亘って弁座４２が形成されている。また、図３に示すように、排水弁本体３４の下端部には、弁体４０が設けられており、排水弁本体３４が下降して弁体４０が弁座４２に当接すると、排水口２０が閉鎖されるようになっている。また、図２及び図３に示すように、排水口形成部材３６には、排水弁装置２４の外側の洗浄水を排水口２０へ流入させるための複数の連通口４４が形成されている。
なお、図３に示すように、排水弁装置２４の内部には、大洗浄モード及び小洗浄モードのそれぞれの場合において排水弁本体３４の開弁動作を開始するタイミングを調整するための種々の関連部材等が設けられているが、これらの関連部材については、省略したとしても、ワイヤ部材による排水弁本体３４の引き上げ機能は最低限確保することができるため、説明は省略する。
【００２８】
ここで、図３に示す排水弁装置２４の排水弁本体３４及び弁体４０については、弁体４０が弁座４２に当接して閉弁位置Ｐ０にある状態を実線で示し、小洗浄モードにおいて弁体４０が最高開弁位置Ｐ１まで上昇した状態と大洗浄モードにおいて弁体４０が最高開弁位置Ｐ２まで上昇した状態をそれぞれ鎖線で示している。
図２及び図３に示すように、排水弁装置２４の大洗浄モードにおける開弁時の状態では、手動操作ユニット５２又は電動駆動ユニット５４の作動により、ワイヤ部材５０が所定の最大量の引き上げ量で引き上げられると共に、排水弁本体３４の弁体４０が閉弁位置Ｐ０から最高開弁位置Ｐ２まで引き上げられて排水口２０が開放されるようになっている。このとき、弁座４２に対する弁体４０の上昇高さ（ストローク）Ｈは、小洗浄モード時の引き上げ高さＨ２よりも高い最大高さ（最大ストローク）Ｈ１となり（Ｈ１＞Ｈ２）、貯水タンク１８内から比較的多い洗浄水量の洗浄水が水洗大便器１の便器本体２の導水路４６に供給され、大洗浄モードによる便器洗浄が開始されるようになっている。
【００２９】
一方、図２及び図３に示すように、排水弁装置２４の小洗浄モードにおける開弁時の状態では、手動操作ユニット又は電動駆動ユニットの作動により、ワイヤ部材５０が大洗浄モードの場合の最大引き上げ量よりも少ない引き上げ量で引き上げられる共に、排水弁本体３４の弁体４０が閉弁位置Ｐ０から大洗浄モードの最高開弁位置Ｐ２よりも低い小洗浄モードの開弁位置Ｐ１まで引き上げられて排水口２０が開放されるようになっている。このとき、弁座４２に対する弁体４０の上昇高さ（ストローク）Ｈは、大洗浄モードの最大ストロークＨ１よりも低いＨ２となり、貯水タンク１８内から大洗浄モードによる洗浄水量よりも少ない洗浄水量の洗浄水が水洗大便器１の便器本体２の導水路４６に供給され、小洗浄モードによる便器洗浄が開始されるようになっている。
【００３０】
また、図３に示すように、排水弁装置２４においては、弁体４０が大洗浄モードと小洗浄モードのそれぞれの引き上げ量に応じて排水弁本体３４と共にワイヤ部材により引き上げられた後、所定の動作をしながら、排水弁本体３４が水位の低下と共にさらに下降するようになっている。そして、図３に示すように、弁体４０が弁座４２に当接して、待機位置（開始位置）である閉弁位置Ｐ０に戻り、排水口２０が閉止された状態となり、排水弁装置２４の大洗浄モード又は小洗浄モードにおける排水が終了するようになっている。そして、貯水タンク１８内の洗浄水は、給水装置２２による給水によって、所定の満水水位ＷＬまで貯水されるようになっている。
【００３１】
万一、貯水タンク１８の水位が満水水位ＷＬを超えた場合でも、水位がオーバーフロー管３８の上端開口部３８ｂの高さ位置に相当する水位を上回ったときには、洗浄水がオーバーフローし、オーバーフロー管３８の上端開口部３８ｂから貯水タンク１８の排水口２０を経て便器本体２側に排水（供給）される。
【００３２】
つぎに、図２乃至図６を参照して、本発明の第１実施形態による操作装置の詳細について説明する。
貯水タンク１８内には、さらに排水弁装置２４を作動させ便器本体２へ洗浄水の供給を開始させる洗浄水タンク装置１６の操作装置４８が設けられている。
この操作装置４８は、一端が排水弁本体３４に連結され、自身が物理的に引き上げられる引き上げ量に応じて、排水弁本体３４及び弁体４０を共に引き上げることができる１本のワイヤ部材５０と、便器前方から見て貯水タンク１８の左側外部側面１８ａに設けられてワイヤ部材５０を手動操作により引き上げ操作可能な手動操作ユニット５２と、貯水タンク１８の右側内部側面１８ｂに設けられてワイヤ部材５０を外部からの電力による電動操作により引き上げ操作可能な電動駆動ユニット５４と、手動操作ユニット５２と電動駆動ユニット５４との間に延びる第１チューブ部材６４と、電動駆動ユニット５４と排水弁装置２４との間に延びる第２チューブ部材６６と、を備えている。
この操作装置４８においては、１本のワイヤ部材５０が、手動操作ユニット５２と排水弁本体３４とを電動駆動ユニット５４を通って連結するように配置されている。操作装置４８は、手動操作ユニット５２による手動操作洗浄装置であり、且つ電動駆動ユニット５４による自動操作（電動操作）洗浄装置でもある。
【００３３】
ワイヤ部材５０は、排水弁側端部５０ａが排水弁本体３４の上端部３４ａに連結され、手動操作ユニット側端部５０ｂが後述する手動操作ユニット５２の回転巻取部材５８に取付けられている。
【００３４】
手動操作ユニット５２は、手動操作ユニット５２の回転機構ユニット５６を構成するように内蔵され、ワイヤ部材５０の手動操作ユニット側端部５０ｂが連結されている回転巻取部材５８と、回転巻取部材５８に自身の回転操作による回転を伝達できるように、回転機構ユニット５６から貯水タンク１８の外側まで貫くように延びる回転軸部材６０を介して、回転巻取部材５８と接続される操作ハンドル６２と、を備えている。
これにより、例えば、操作ハンドル６２を回転軸部材６０と共にその軸回りに所定の方向に回転操作すると、回転機構ユニット５６の回転巻取部材５８が所定方向に回転することによりワイヤ部材５０が引き上げられるようになっている。回転機構ユニット５６においては、回転巻取部材５８が回転軸部材６０に直接連結されていてもよく、また、回転巻取部材５８がギヤを介して回転軸部材６０に間接的に連結されていてもよい。
【００３５】
手動操作ユニット５２は、使用者が操作する操作ハンドル６２の回転方向及び/又は回転量に応じて、回転巻取部材５８の回転量（すなわち回転巻取部材５８に取付けられたワイヤ部材５０の引き上げ量）が比較的大きくなる場合には、大洗浄モードを実行させ、又は回転巻取部材５８の回転量（すなわち回転巻取部材５８に取付けられたワイヤ部材５０の引き上げ量）が比較的小さくなる場合には、小洗浄モードを実行させることができる。
手動操作ユニット５２は便器前方から見て貯水タンク１８の左側外部側面１８ａに設けられているが、便器前方から見て貯水タンク１８の右側外部側面１８ｃに設けられていてもよく、この場合、操作ハンドル６２は、貯水タンク１８の右側側面に取付けられる右側操作ハンドルであってもよい。
【００３６】
第１チューブ部材６４は、可撓性の管形状部材である。第１チューブ部材６４は、手動操作ユニット５２の第１チューブ取付部５２ａに取付けられる第１チューブ部材第１端部６４ａと、後述する第１チューブ保持部８６に保持される第１チューブ部材第２端部６４ｂとを有している。第１チューブ部材６４は、第１チューブ部材第１端部６４ａと、第１チューブ部材第２端部６４ｂとの間の長さが長さＬ１に形成され、貯水タンク１８内で湾曲して配置されることができる。よって、長さＬ１の第１チューブ部材６４内には、長さＬ１の長さのワイヤ部材５０が配置されることになる。
【００３７】
第１チューブ部材６４は、手動操作ユニット５２と電動駆動ユニット５４との間に配置され、内部においてワイヤ部材５０を自らの形状にそって導くことができるように内部に通し、移動可能に配置できる通路を形成している。第１チューブ部材６４がワイヤ部材５０が移動する経路を形成するので、ワイヤ部材５０を第１チューブ部材６４の配置されている湾曲した経路形状に沿って引き上げることができる。従って、第１チューブ部材６４を設けることにより電動駆動ユニット５４を手動操作ユニット５２に対して自由な位置関係で配置することができる。
本発明の第１実施形態とは異なり、第１チューブ部材６４が設けられていない場合には、ワイヤ部材５０が手動操作ユニット５２と電動駆動ユニット５４との間でたるみが生じないように直線的に張られた状態で配置される必要があり、貯水タンク１８内の限られた空間の中で、手動操作ユニット５２と電動駆動ユニット５４との間をワイヤ部材５０が直線的に結ぶ場合に、他の機器が干渉しないようにこれらの機器を直線的に並べて配置する必要が生じてしまう。本発明の第１実施形態によればこのような問題が生じないようにすることができる。
【００３８】
第２チューブ部材６６は、可撓性の管形状部材である。第２チューブ部材６６は、第２チューブ部材保持部８８に保持される第２チューブ部材第１端部６６ａと、排水弁装置２４の頂部２４ａに取付けられる第２チューブ部材第２端部６６ｂとを有している。第２チューブ部材６６は、第２チューブ部材第１端部６６ａと、第２チューブ部材第２端部６６ｂとの間の長さが長さＬ２に形成され、貯水タンク１８内で湾曲して配置されることができる。よって、長さＬ２の第２チューブ部材６６内には、長さＬ２の長さのワイヤ部材５０が配置されることになる。
【００３９】
第２チューブ部材６６は、電動駆動ユニット５４と排水弁装置２４との間に配置され、内部においてワイヤ部材５０を自らの形状にそって導くことができるように内部に通し、移動可能に配置できる通路を形成している。第２チューブ部材６６がワイヤ部材５０が移動する経路を形成するので、ワイヤ部材５０を第２チューブ部材６６の配置されている湾曲した経路形状に沿って引き上げることができる。従って、第２チューブ部材６６を設けることにより電動駆動ユニット５４を排水弁装置２４に対して自由な位置関係で配置することができる。
本発明の第１実施形態とは異なり、第２チューブ部材６６が設けられていない場合には、ワイヤ部材５０が電動駆動ユニット５４と排水弁装置２４との間でたるみが生じないように直線的に張られた状態で配置される必要があり、貯水タンク１８内の限られた空間の中で、電動駆動ユニット５４と排水弁装置２４との間をワイヤ部材５０が直線的に結ぶ場合に、他の機器が干渉しないようにこれらの機器を直線的に並べて配置する必要が生じてしまう。本発明の第１実施形態によればこのような問題が生じないようにすることができる。
【００４０】
本発明の第１実施形態におけるように、電動駆動ユニット５４を、手動操作ユニット５２と別体にすることができ、１つのワイヤ部材５０に対して自在な位置に配置することができれば、配置スペースが限られているローシルエットタンク内においても、他の給水機器等との干渉もなく、配置を自在に行うことができ、手動と電動の両方を使うことができるようになる。
【００４１】
次に、図４乃至図６を参照して、本発明の第１実施形態による操作装置の電動駆動ユニットについて詳細に説明する。
図４は本発明の第１実施形態による操作装置の正面図であり、図５は本発明の第１実施形態による操作装置の側面図であり、図６は本発明の第１実施形態による操作装置の第１チューブ保持部に第１チューブ部材第２端部が保持されている状態を示す部分拡大断面図である。
【００４２】
電動駆動ユニット５４は、１本のワイヤ部材５０を自身の外周面に沿わせた状態で自由に回転できるプーリ６８と、外部からの電力によりプーリ６８自身を移動させる電動駆動部７０と、第１チューブ部材６４、第２チューブ部材６６及び電動駆動部７０を支持する支持部７２と、電動駆動ユニット５４を制御する電動駆動ユニット制御部７４（図１参照）とを備えている。
【００４３】
プーリ６８は、プーリ中心軸６８ａを中心に自由に回転可能な回転部材である。このプーリ６８の外側の外周には、外周部６８ｂが形成され、この外周部６８ｂに沿って接するようにワイヤ部材５０が配置される。この外周部６８ｂはワイヤ部材５０がスムーズに係合するような溝部を形成している。プーリ６８は、ワイヤ部材５０が排水弁側又は手動操作ユニット側に向かって移動するとき、ワイヤ部材５０が自由に移動できるように、ワイヤ部材５０の移動に伴ってプーリ６８が自由に回転できるように構成されている。また、プーリ６８は、プーリ６８自身が後述するアーム部材により移動されることができる。このとき、プーリ６８は、プーリ６８のプーリ中心軸６８ａが移動され、支持部７２に対して離間するように移動され、ワイヤ部材５０に対しても相対的に移動されるようになっている。
【００４４】
プーリ６８のプーリ中心軸６８ａが移動するとき、電動駆動ユニット５４内において、支持部７２とプーリ中心軸６８ａとの距離が大きくなる。よって、電動駆動ユニット５４内に存在するワイヤ部材５０の長さが、すなわち、後述する第１導入口部と第２導入口部との間に在るワイヤ部材５０の長さが、待機状態においてはＬ３の長さであるのに対し、大洗浄操作時においては、Ｌ４の長さとなり（大洗浄操作時における、プーリ６８の外周部６８ｂに沿った部分のワイヤ部材５０の部分を仮想線Ｒ１により例示している）、小洗浄操作時においては、Ｌ５の長さとなる（小洗浄操作時における、プーリ６８の外周部６８ｂに沿った部分のワイヤ部材５０の部分を仮想線Ｒ２により例示している）。電動駆動ユニット５４内に存在するワイヤ部材５０の長さの関係は、Ｌ３＜Ｌ５＜Ｌ４の関係を有している。
このように、ワイヤ部材５０に対するプーリ６８の相対的な移動に伴ってプーリ６８が自由に回転し、排水弁装置２４側のワイヤ部材５０を徐々に巻き上げるようにしながら、プーリ６８の移動に伴うワイヤ部材５０の引き上げを行うことができる。
【００４５】
電動駆動部７０は、回転駆動軸７６を回転駆動するモーター部７８と、モーター側端部８０ａがモーター部７８の回転駆動軸７６に取付けられ、プーリ側端部８０ｂがプーリ６８のプーリ中心軸６８ａに取付けられたアーム部材８０と、を有し、モーター部７８の回転駆動軸７６を回転駆動することにより、アーム部材８０が回転駆動軸７６を中心に回転してプーリ６８を移動させる。
【００４６】
モーター部７８は、外部からの電力によりモーターを駆動してギヤユニット（図示せず）を介して回転駆動軸７６を回転駆動するように形成されているが、モーター部７８により回転駆動軸７６を直接回転駆動するように形成されていてもよい。モーター部７８は、電動駆動ユニット制御部７４と接続され、電動駆動ユニット制御部７４により回転の開始及び停止が制御されるようになっている。なお、モーター部７８は、貯水タンク１８の満水水位ＷＬより上方に配置されている。
【００４７】
アーム部材８０は、回転駆動軸７６とプーリ中心軸６８ａとを連結するようになっているコの字形のプレート部材であり、下部にコの字形の前側部分８０ｃと後側部分８０ｄの接合部８０ｅが形成され、後側部分においてモーター部７８の回転駆動軸７６に取付けられている。モーター側端部８０ａが回転駆動軸７６を中心とした回転可能に回転駆動軸７６に取り付けられ、プーリ側端部８０ｂがプーリ中心軸６８ａを回転可能に支持するようにプーリ中心軸６８ａに取付けられている。アーム部材８０は、モーター側端部８０ａが回転駆動軸７６を中心として回転されるとき、プーリ側端部８０ｂが円弧を描くような軌道で横方向に移動される。
【００４８】
支持部７２には、モーター部７８に固定される後壁部８２と、後壁部８２との間に、プーリ６８及びアーム部材８０を回転動作が可能となるように配置できるような空間を形成している前壁部８４と、前壁部８４と後壁部８２との間の上部において、第１チューブ部材６４の第１チューブ部材第２端部６４ｂを保持する第１チューブ保持部８６と、前壁部８４と後壁部８２との間の下部において、第２チューブ部材６６の第２チューブ部材第１端部６６ａを保持する第２チューブ保持部８８と、が形成されている。
【００４９】
第１チューブ保持部８６は、自身の内部に第１チューブ部材６４と対向する裏面まで直線的に延び、ワイヤ部材５０を電動駆動ユニット５４内のプーリ６８の外周に導くことができる第１導入口部８６ａを形成している。第１チューブ保持部８６は、第１チューブ部材第２端部６４ｂを保持した状態で、第１チューブ部材６４内のワイヤ部材５０を、第１導入口部８６ａ内を通して、スムーズに移動及び通過させることができるようになっている。
第２チューブ保持部８８は、自身の内部に第２チューブ部材６６と対向する裏面まで直線的に延び、ワイヤ部材５０を電動駆動ユニット５４内のプーリ６８の外周に導くことができる第２導入口部８８ａを形成している。第２チューブ保持部８８は、第２チューブ部材第１端部６６ａを保持した状態で、第２チューブ部材６６内のワイヤ部材５０を、第２導入口部８８ａ内を通して、スムーズに移動及び通過させることができるようになっている。
【００５０】
第１チューブ保持部８６は、第１チューブ部材６４の第１チューブ部材第２端部６４ｂの開口方向が、プーリ６８の上部に向かう方向であり、プーリ６８の移動方向Ｂ１とほぼ同一になるように第１チューブ部材第２端部６４ｂを保持する。
第２チューブ保持部８８は、第２チューブ部材６６の第２チューブ部材第１端部６６ａの開口方向が、プーリ６８の下部に向かう方向であり、プーリ６８の移動方向Ｂ１とほぼ同一になるように第２チューブ部材第１端部６６ａを保持する。
【００５１】
電動駆動ユニット制御部７４は、使用者が便器洗浄操作（大洗浄モード開始操作、小洗浄モード開始操作）を指示する指示装置９０又は使用者を検知する人体検知センサー（図示せず）から送信される便器洗浄開始信号を受信して電動駆動ユニット５４を作動させるようになっている。
図１に示すように、電動駆動ユニット制御部７４は貯水タンク１８の右側外部側面に設けられている。さらに、水洗大便器１の側方の壁面には、使用者が便器本体２の大洗浄モード開始操作、小洗浄モード開始操作を指示するための複数の操作ボタン９０ａを含む指示装置９０が取り付けられている。
【００５２】
本発明の第１実施形態における、洗浄水タンク内に配置された排水弁を作動させ便器へ洗浄水の供給を開始させる洗浄水タンク装置の操作装置は、１本の連結部材と、手動操作ユニットと、電動駆動ユニットとを備えている操作装置を製造することによって得られるのみならず、本発明の第１実施形態の操作装置は、例えば、既に製造、設置及び/又は使用されている既存の洗浄水タンク装置の操作装置が、１本の連結部材と、手動操作ユニットとを備え、手動操作ユニットが１本の連結部材を引き上げて排水弁を動作させるようになっている場合に、既存の操作装置に対し、電動駆動ユニットを付加することにより比較的簡単に構成（製造）することもできる。
【００５３】
つぎに、図１〜図７を参照して、本発明の第１実施形態による操作装置の動作（作用）を説明する。
図７は本発明の第１実施形態による操作装置において、待機状態と、大洗浄モードにおいてプーリが移動された状態と、小洗浄モードにおいてプーリが移動された状態とを示す正面図である。
先ず、図１〜図７により、本発明の第１実施形態による操作装置を備えた貯水タンク装置及びこの貯水タンク装置が適用された水洗大便器において、手動操作ユニット５２により実行される大洗浄モードについて説明する。
【００５４】
図２に示すように、使用者が操作ハンドル６２の操作を開始する前の待機状態においては、操作ハンドル６２は待機位置にあり、手動操作ユニット５２においては、回転巻取部材５８が待機位置（初期位置）にあり、ワイヤ部材５０に連結された弁体４０が排水口２０を閉止している状態となっている。このとき貯水タンク１８内の初期水位が満水水位ＷＬ（図３）となっている。
【００５５】
大洗浄モードにおいて、弁体４０が排水口２０を閉止している状態（待機状態）から、操作装置４８の手動操作ユニット５２を用いた手動操作により弁体４０を開弁させる場合、図２に手動操作の方向を矢印Ａ１で示すように、使用者が手動用の操作ハンドル６２を下方に引き下げるように比較的大きな角度まで回転させることにより、回転巻取部材５８が回転軸部材６０を中心に矢印Ａ１の方向に回転する。これにより、回転巻取部材５８に取付けられたワイヤ部材５０の手動操作ユニット側端部５０ｂが回転巻取部材５８の回転に伴って回転巻取部材５８の外周部に巻き付きながら移動し、矢印Ａ２の方向に所定長さ引き上げられる。ワイヤ部材５０は、第１チューブ部材６４内を、第１チューブ部材６４の直線部分及び曲り部分等を含む経路形状に沿った状態で、引き上げられる。
【００５６】
ワイヤ部材５０は、電動駆動ユニット５４においては、第２導入口部８８ａからプーリ６８の外周部６８ｂに沿って第１導入口部８６ａに向かって引き上げられる。このとき、電動駆動ユニット５４は作動しないので、プーリ６８はプーリ中心軸６８ａが待機位置のまま維持され、外周部６８ｂがワイヤ部材５０の移動に合わせて自由に回転される。さらに、ワイヤ部材５０は、第２チューブ部材６６内を、第２チューブ部材６６の直線部分及び曲り部分等を含む経路形状に沿った状態で、引き上げられる。このようにして、ワイヤ部材５０の排水弁側端部５０ａが引き上げられることにより、排水弁本体３４及び弁体４０が引き上げられる。
ワイヤ部材５０が、大洗浄モードに応じて比較的大きな所定長さまで引き上げられると、弁体４０が比較的高い所定高さまで上昇して開弁した状態になる。これにより、貯水タンク１８内の比較的大容量の洗浄水が排水口２０から便器本体２の導水路（図示せず）に向けて排水され、大洗浄モードの便器洗浄が行われる。
【００５７】
そして、ワイヤ部材５０が引き上げられて弁体４０が開弁した状態で使用者が操作ハンドル６２から手を離すと、戻りばね（図示せず）により操作ハンドル６２を元の待機状態の位置まで戻るように回転し、弁体４０が下降して排水口２０を閉止し、元の待機状態となる。
【００５８】
次に、図１〜図７により、本発明の第１実施形態による操作装置を備えた貯水タンク装置及びこの貯水タンク装置が適用された水洗大便器において、手動操作ユニット５２により実行される小洗浄モードについて説明する。
手動操作ユニット５２により実行される小洗浄モードにおけるワイヤ部材５０の動作は、その大洗浄モードにおけるワイヤ部材５０の動作と比べて、ワイヤ部材５０の引き上げ量が小さくなる他は、洗浄モードにおけるワイヤ部材５０の動作とほぼ同様であるので、同様の説明部分については説明を省略している。
【００５９】
小洗浄モードにおいて、使用者が手動用の操作ハンドル６２を下方に引き下げるように比較的小さな角度まで回転させることにより、回転巻取部材５８が回転軸部材６０を中心に矢印Ａ１の方向に回転する。これにより、回転巻取部材５８に取付けられたワイヤ部材５０の手動操作ユニット側端部５０ｂが回転巻取部材５８の回転に伴って回転巻取部材５８の外周部に巻き付きながら移動し、矢印Ａ２の方向に所定長さ引き上げられる。
【００６０】
ワイヤ部材５０は、電動駆動ユニット５４においては、第２導入口部８８ａからプーリ６８の外周部６８ｂに沿って第１導入口部８６ａに向かって引き上げられる。小洗浄モードにおけるワイヤ部材５０の引き上げ量は、大洗浄モードにおけるワイヤ部材５０の引き上げ量よりも小さくなっている。電動駆動ユニット５４は作動しないので、プーリ６８はプーリ中心軸６８ａが待機位置のまま維持され、外周部６８ｂがワイヤ部材５０の移動に合わせて自由に回転される。このようにして、ワイヤ部材５０の排水弁側端部５０ａが引き上げられることにより、排水弁本体３４及び弁体４０が引き上げられる。
ワイヤ部材５０が、小洗浄モードに応じて比較的小さな所定長さまで引き上げられると、弁体４０が比較的低い所定高さまで上昇して開弁した状態になる。これにより、貯水タンク１８内の比較的小容量の洗浄水が排水口２０から便器本体２の導水路（図示せず）に向けて排水され、小洗浄モードの便器洗浄が行われる。
【００６１】
次に、図１〜図７により、本発明の第１実施形態による操作装置を備えた貯水タンク装置及びこの貯水タンク装置が適用された水洗大便器において、電動駆動ユニット５４により実行される大洗浄モードについて説明する。
ここで、図７に示す電動駆動ユニット５４のアーム部材８０及びプーリ６８については、アーム部材８０及びプーリ６８が作動前の待機位置Ｑ０にある待機状態を実線で示し、
大洗浄モードにおいてアーム部材８０及びプーリ６８が最大移動位置Ｑ１まで移動した状態、小洗浄モードにおいてアーム部材８０及びプーリ６８が最大移動位置Ｑ２まで移動した状態をそれぞれ鎖線で示している。
【００６２】
まず、弁体４０が排水口２０を閉止している状態（待機状態）から、電動駆動ユニット５４を用いた電動操作により弁体４０を開弁させる場合、使用者が外部の指示装置（図示せず）の所定の操作ボタン（図示せず）を押すことにより便器洗浄操作を指示するか、或いは、人感センサ（図示せず）が使用者を検知すると、これらの信号が電動駆動ユニット制御部７４に送信され、電動駆動ユニット制御部７４からの指令により電動駆動ユニット５４のモーター部７８が作動する。そして、回転駆動軸７６が回転中心軸線Ｄ１を中心に図７に矢印Ｂ１で示す回転方向に所定の回転角度（例えば約４５度）まで回転する。よって、アーム部材８０のプーリ側端部８０ｂが待機位置Ｑ０から矢印Ｂ１で示す回転方向に所定の回転角度（例えば約４５度）まで回転し、プーリ中心軸６８ａが矢印Ｃ１に示すように円弧を描くように所定の移動量まで移動される。プーリ中心軸６８ａが第１導入口部８６ａ及び第２導入口部８８ａから離れるように移動され、プーリ６８が最も移動されると最大移動位置Ｑ１まで移動した状態となる。
【００６３】
プーリ中心軸６８ａの横方向への移動、すなわちプーリ６８全体の移動に伴って、ワイヤ部材５０が、電動駆動ユニット５４内で引き上げられる。プーリ６８全体の矢印Ｂ２の方向への移動の移動量に応じて、ワイヤ部材５０が第２導入口部８８ａから電動駆動ユニット５４内に巻き上げられる。待機状態のとき、電動駆動ユニット５４内に存在するワイヤ部材５０の長さはＬ３の長さであったのに対し、プーリ６８全体の移動により、大洗浄モードにおいては、電動駆動ユニット５４内に存在するワイヤ部材５０の長さはＬ４の長さとなる。ワイヤ部材５０の長さに対し、第１チューブ部材６４の長さＬ１及び第２チューブ部材６６の長さＬ２は一定であるので、電動駆動ユニット５４内に存在するワイヤ部材５０の長さがＬ３からＬ４に長くなった分だけ、ワイヤ部材５０に連結された弁体４０が引き上げられることになる。
【００６４】
手動操作ユニット５２が作動されていないので、ワイヤ部材５０は、手動操作ユニット５２と、電動駆動ユニット５４との間においては移動されない。よって、ワイヤ部材５０は、第１導入口部８６ａより手動操作ユニット５２側においては停止した状態となっているので、第２導入口部８８ａから排水弁装置２４側において引き上げられる。
従って、１本のワイヤ部材５０の途中に設けられたプーリ６８自身を移動させることによりワイヤ部材５０を大洗浄モードに必要な所定の引き上げ量まで引き上げることができる。
【００６５】
ワイヤ部材５０は、電動駆動ユニット５４においては、矢印Ｂ２に示すように、第２導入口部８８ａからプーリ６８の外周部６８ｂに向かって引き上げられる。従って、ワイヤ部材５０は、第２チューブ部材６６内を、第２チューブ部材６６の直線部分及び曲り部分等を含む経路形状に沿った状態で、引き上げられる。このようにして、ワイヤ部材５０の排水弁側端部５０ａが引き上げられることにより、排水弁本体３４及び弁体４０が引き上げられる。
ワイヤ部材５０が、大洗浄モードに応じて比較的大きな所定長さまで引き上げられると、弁体４０が比較的高い所定高さまで上昇して開弁した状態になる。これにより、貯水タンク１８内の比較的大容量の洗浄水が排水口２０から便器本体２の導水路（図示せず）に向けて排水され、大洗浄モードの便器洗浄が行われる。
【００６６】
そして、ワイヤ部材５０が引き上げられて弁体４０が開弁した状態で大洗浄モードに応じた所定時間が経過すると、電動駆動ユニット制御部７４からの指令によりモーター部７８が逆回転し、回転駆動軸７６が待機状態に戻るように回転される。よって、アーム部材８０のプーリ側端部８０ｂ及びプーリ６８が、最大移動位置Ｑ１から待機位置Ｑ０まで回転されて戻る。従って、引き上げられていたワイヤ部材５０が排水弁本体３４側に向かって再び引き出され、電動駆動ユニット５４内に存在するワイヤ部材５０の長さがＬ３の長さに戻り、弁体４０が下降して排水口２０を閉止し、元の待機状態となる。
【００６７】
次に、図１〜図７により、本発明の第１実施形態による操作装置を備えた貯水タンク装置及びこの貯水タンク装置が適用された水洗大便器において、電動駆動ユニット５４により実行される小洗浄モードについて説明する。
まず、弁体４０が排水口２０を閉止している状態（待機状態）から、電動駆動ユニット５４を用いた電動操作により弁体４０を開弁させる場合、使用者の操作等に基づいた電動駆動ユニット制御部７４からの指令により電動駆動ユニット５４のモーター部７８が作動する。そして、回転駆動軸７６が回転中心軸線Ｄ１を中心に、図７に矢印Ｂ１で示す回転方向に所定の回転角度（例えば約３０度）まで回転する。よって、アーム部材８０のプーリ側端部８０ｂが待機位置Ｑ０から矢印Ｂ１で示す回転方向に所定の回転角度（例えば約３０度）まで回転し、プーリ中心軸６８ａが矢印Ｃ２に示すように、円弧を描くように所定の移動量まで移動される。よって、小洗浄モードにおけるプーリ中心軸６８ａの移動量Ｃ２は、大洗浄モードにおけるプーリ中心軸６８ａの移動量Ｃ１よりも小さくなっている。プーリ中心軸６８ａが第１導入口部８６ａ及び第２導入口部８８ａから離れるように移動され、プーリ６８が最も移動されると最大移動位置Ｑ２まで移動した状態となる。
【００６８】
プーリ中心軸６８ａの横方向への移動、すなわちプーリ６８全体の移動に伴って、ワイヤ部材５０が、電動駆動ユニット５４内で引き上げられる。プーリ６８全体の矢印Ｂ１の方向への移動の移動量Ｃ２に応じて、ワイヤ部材５０が第２導入口部８８ａから電動駆動ユニット５４内に巻き上げられる。待機状態のとき、電動駆動ユニット５４内に存在するワイヤ部材５０の長さはＬ３の長さであったのに対し、プーリ６８全体の移動により、小洗浄モードにおいては、電動駆動ユニット５４内に存在するワイヤ部材５０の長さはＬ５の長さとなる。ワイヤ部材５０の長さに対し、第１チューブ部材６４の長さＬ１及び第２チューブ部材６６の長さＬ２は一定であるので、電動駆動ユニット５４内に存在するワイヤ部材５０の長さがＬ３からＬ５に長くなった分だけ、ワイヤ部材５０に連結された弁体４０が引き上げられることになる。
【００６９】
手動操作ユニット５２が作動されていないので、ワイヤ部材５０は、手動操作ユニット５２と、電動駆動ユニット５４との間においては移動されない。よって、ワイヤ部材５０は、第１導入口部８６ａより手動操作ユニット５２側においては停止した状態となっているので、第２導入口部８８ａから排水弁装置２４側において引き上げられる。
従って、１本のワイヤ部材５０の途中に設けられたプーリ６８自身を移動させることによりワイヤ部材５０を小洗浄モードに必要な所定の引き上げ量まで引き上げることができる。
【００７０】
ワイヤ部材５０は、電動駆動ユニット５４においては、矢印Ｂ２に示すように、第２導入口部８８ａからプーリ６８の外周部６８ｂに向かって引き上げられる。このようにして、ワイヤ部材５０の排水弁側端部５０ａが引き上げられることにより、排水弁本体３４及び弁体４０が引き上げられる。
ワイヤ部材５０が、小洗浄モードに応じて比較的小さな所定長さまで引き上げられると、弁体４０が比較的低い所定高さまで上昇して開弁した状態になる。これにより、貯水タンク１８内の比較的小容量の洗浄水が排水口２０から便器本体２の導水路（図示せず）に向けて排水され、小洗浄モードの便器洗浄が行われる。
【００７１】
そして、ワイヤ部材５０が引き上げられて弁体４０が開弁した状態で小洗浄モードに応じた所定時間が経過すると、電動駆動ユニット制御部７４からの指令によりモーター部７８が逆回転し、回転駆動軸７６が待機状態に戻るように回転される。よって、アーム部材８０のプーリ側端部８０ｂ及びプーリ６８が、最大移動位置Ｑ２から待機位置Ｑ０まで回転されて戻る。従って、引き上げられていたワイヤ部材５０が排水弁本体３４側に向かって再び引き出され、電動駆動ユニット５４内に存在するワイヤ部材５０の長さがＬ３の長さに戻り、弁体４０が下降して排水口２０を閉止し、元の待機状態となる。
【００７２】
上述した本発明の第１実施形態による操作装置４８によれば、手動操作ユニット５２及び電動駆動ユニット５４のそれぞれが（すなわち、手動操作ユニット５２又は電動駆動ユニット５４のどちらによっても）１本のワイヤ部材５０を介して弁体４０を作動させることができる。よって、１本のワイヤ部材５０で弁体４０を動作させる洗浄水タンク装置１６の操作装置４８において、使用者が手動の回転操作を行うことにより排水弁を動作させることができるのみならず、外部からの電力により電動で弁体４０を動作させることができる。従って、使用者の洗浄水タンク装置１６の操作装置４８の使い勝手が向上する。
【００７３】
上述した本発明の第１実施形態による操作装置４８によれば、手動操作ユニット５２が、使用者が手動の回転操作を行うことにより１本のワイヤ部材５０を引き上げて弁体４０を動作させることができる。また、電動駆動ユニット５４が、電動駆動部７０が外部からの電力によりプーリ６８を移動させることができ、１本のワイヤ部材５０を引き上げて弁体４０を動作させることができる。
従って、手動操作ユニット５２及び電動駆動ユニット５４のそれぞれが１本のワイヤ部材５０を介して弁体４０を作動させることができる。よって、１本のワイヤ部材５０で弁体４０を動作させる洗浄水タンク装置１６の操作装置４８において、使用者が手動の回転操作を行うことにより弁体４０を動作させることができるのみならず、外部からの電力により電動で弁体４０を動作させることができる。従って、使用者の洗浄水タンク装置１６の操作装置４８の使い勝手が向上する。
【００７４】
上述した本発明の第１実施形態による操作装置４８によれば、電動駆動ユニット５４の電動駆動部７０が、比較的簡易な構造でプーリ６８を移動させることが可能となる。
【００７５】
上述した本発明の第１実施形態による操作装置４８によれば、電動駆動ユニット５４、手動操作ユニット５２及び弁体４０の間において、ワイヤ部材５０を、第１チューブ部材６４及び第２チューブ部材６６の形状に沿った状態で引き上げることができ、チューブ部材が設けられない場合のように電動駆動ユニット、手動操作ユニット及び排水弁の間において常に張った状態でワイヤ部材を配置する必要をなくすことができる。従って、第１チューブ部材６４及び第２チューブ部材６６が設けられない場合と比べて電動駆動ユニット５４を貯水タンク１８内の自由な位置に配置することができる。
【００７６】
上述した本発明の第１実施形態による操作装置４８によれば、第１チューブ保持部８６が第１チューブ部材第２端部６４ｂを保持し、第２チューブ保持部８８が第２チューブ部材第１端部６６ａを保持することにより、プーリ６８が移動するときに、ワイヤ部材５０を第２チューブ部材６６の内部から電動駆動ユニット５４内部へ適切に引き出すことができ、ワイヤ部材５０の引き出し量をプーリ６８の移動量に応じた既定の引き出し量に制御できる。したがって、弁体４０の引き上げ量を比較的正確に制御することができ、弁体４０の引き上げ量のバラつきを抑制することができる。
【００７７】
上述した本発明の第１実施形態による操作装置４８によれば、プーリ６８の移動量に対するワイヤ部材５０の引き出し量をほぼ最大にすることができ、プーリ６８が移動するときに、ワイヤ部材５０を、効果的に第２チューブ部材６６の内部から電動駆動ユニット５４内部へ引き出すことができる。
【００７８】
上述した本発明の第１実施形態による操作装置４８によれば、電動駆動部７０が浸水することによる故障を防止することができる。したがって、適切に電動駆動ユニット５４がワイヤ部材５０を引き上げて弁体４０を動作させることができる。
【００７９】
上述した本発明の第１実施形態による操作装置４８によれば、電動駆動ユニット５４が、アーム部材８０の回転角度を第１の回転角度と、第１の回転角度よりも小さい第２の回転角度とのいずれかの回転角度に切り替えることにより、プーリ６８の移動量及びワイヤ部材５０の引き出し量を変更することができる。よって、ワイヤ部材５０の引き出し量を、大洗浄モードの弁体４０の引き上げ量と、小洗浄モードの弁体４０の引き上げ量との間で切り替えることができる。従って、電動駆動ユニット５４により、大洗浄モードと、小洗浄モードとの切り替えを行うことができる。
【００８０】
また、本発明は、上記操作装置４８を備えたことを特徴とする洗浄水タンク装置１６である。
このように構成された本発明においては、手動操作ユニット５２及び電動駆動ユニット５４のそれぞれが１本のワイヤ部材５０を介して弁体４０を作動させることができる洗浄水タンク装置１６を提供することができる。
【００８１】
また、本発明は、上記洗浄水タンク装置１６を備えたことを特徴とする水洗大便器１である。
このように構成された本発明においては、操作装置４８を備えた洗浄水タンク装置１６を備えている水洗大便器１を提供することができる。
【００８２】
つぎに、本発明の第２実施形態による操作装置について説明する。
本発明の第２実施形態による操作装置においては、第１実施形態における電動駆動ユニット５４を手動の手動ユニットに変更し、第１実施形態における手動操作ユニット５２を電動の電動ユニットに変更した点のみ、本発明の第１実施形態による操作装置と異なっている。
以下、本発明の第２実施形態による操作装置が、上述した本発明の第１実施形態による操作装置と異なる部分を説明し、上述した本発明の第１実施形態による操作装置の部分と同一部分については同一の符号を付し、それらの説明は省略する。本発明の第２実施形態による操作装置を備えた洗浄水タンク装置及びその洗浄水タンク装置が適用された水洗大便器については、本発明の第１実施形態による操作装置を備えた洗浄水タンク装置及びその洗浄水タンク装置が適用された水洗大便器と同一であるので、これらの説明は省略する。
【００８３】
本発明の第２実施形態においては、第１実施形態とは異なり、操作装置４８は、ワイヤ部材５０を外部からの電力による電動操作により引き上げ操作可能な電動ユニットと、ワイヤ部材５０を使用者による手動操作により引き上げ操作可能な手動ユニットとを備えている。この操作装置４８においては、１本のワイヤ部材５０が、電動ユニットと排水弁本体３４とを手動ユニットを通って連結するように配置されている。
【００８４】
電動ユニットは、回転巻取部材５８を外部からの電力によりモーター及びギヤユニット等で駆動させて回転させるように構成されている。電動により、回転巻取部材５８が所定方向に回転され、ワイヤ部材５０を引き上げられるようになっている。電動ユニットは、回転巻取部材５８の回転方向及び/又は回転量に応じて、回転巻取部材５８の回転量（すなわち回転巻取部材５８に取付けられたワイヤ部材５０の引き上げ量）が比較的大きくなる場合には、大洗浄モードを実行させ、又は回転巻取部材５８の回転量（すなわち回転巻取部材５８に取付けられたワイヤ部材５０の引き上げ量）が比較的小さくなる場合には、小洗浄モードを実行させることができる。
【００８５】
手動ユニットは、１本のワイヤ部材５０を自身の外周面に沿わせた状態で自由に回転できるプーリ６８と、使用者の操作によりプーリ６８自身を移動させる駆動部と、第１チューブ部材６４、第２チューブ部材６６及び駆動部を支持する支持部７２と、を備えている。このように、ワイヤ部材５０に対するプーリ６８の相対的な移動に伴ってプーリ６８が自由に回転し、排水弁装置２４側のワイヤ部材５０を徐々に巻き上げるようにしながら、プーリ６８の移動に伴うワイヤ部材５０の引き上げを行うことができる。
【００８６】
駆動部は、貯水タンク１８の外側まで貫くように延び、駆動部を回転駆動させる操作ハンドルと、操作ハンドルの回転駆動軸に取付けられ、プーリ側端部８０ｂがプーリ６８のプーリ中心軸６８ａに取付けられたアーム部材８０と、を有し、操作ハンドルの回転駆動軸を回転駆動することにより、アーム部材８０が回転駆動軸を中心に回転してプーリ６８を移動させる。操作ハンドルは、使用者の回転操作により回転駆動軸７６を回転駆動するように形成されている。
【００８７】
アーム部材８０は、後側部分において回転駆動軸に取付けられている。アーム部材８０は、モーター側端部８０ａが回転駆動軸を中心として回転されるとき、プーリ側端部８０ｂが円弧を描くような軌道で移動される。支持部７２には、駆動部に固定される後壁部８２が形成されている。
【００８８】
電動駆動ユニット制御部は、使用者が便器洗浄操作（大洗浄モード開始操作、小洗浄モード開始操作）を指示する指示装置９０又は使用者を検知する人体検知センサー（図示せず）から送信される便器洗浄開始信号を受信して上述の電動ユニットを作動させるようになっている。
【００８９】
上述した本発明の第２実施形態による操作装置によれば、手動操作ユニット及び電動駆動ユニットのそれぞれが１本のワイヤ部材５０を介して弁体４０を作動させることができる。よって、１本のワイヤ部材５０で弁体４０を動作させる洗浄水タンク装置の操作装置において、使用者が手動の回転操作を行うことにより弁体４０を動作させることができるのみならず、外部からの電力により電動で弁体４０を動作させることができる。従って、使用者の洗浄水タンク装置の操作装置の使い勝手が向上する。
【符号の説明】
【００９０】
１            水洗大便器
２            便器本体
１６          洗浄水タンク装置
１８          貯水タンク
４０          弁体
４８          操作装置
５０          ワイヤ部材
５２          手動操作ユニット
５４          電動駆動ユニット
５６          回転機構ユニット
５８          回転巻取部材
６０          回転軸部材
６２          操作ハンドル
６４          第１チューブ部材
６４ｂ        第１チューブ部材第２端部
６６          第２チューブ部材
６６ａ        第２チューブ部材第１端部
６８          プーリ
６８ａ        プーリ中心軸
６８ｂ        外周部
７０          電動駆動部
７８          モーター部
８０          アーム部材
８６          第１チューブ保持部
８６ａ        第１導入口部
８８          第２チューブ保持部
８８ａ        第２導入口部
【図１】
2015196949.tif 000003
【図２】
2015196949.tif 000004
【図３】
2015196949.tif 000005
【図４】
2015196949.tif 000006
【図５】
2015196949.tif 000007
【図６】
2015196949.tif 000008
【図７】
2015196949.tif 000009